(57)【要約】      （修正有）【課題】遊技領域全体に遊技球を配給して広く活用することができる遊技機を提供する。【解決手段】遊技盤面１１の上方に球発射装置２５を配設し、外レール２１の中途に変更部２０ａおよび案内部２０ｃを備えた球軌道偏向体２０を設けた。変更部２０ａおよび案内部２０ｃに適切な速度に減速された遊技球は遊技領域１２の略中央に射出される。放物線上に射出することにより、衝突の勢いを弱める一方、従来では配給され辛かった領域を含む遊技領域１２の各所に配設された入賞装置に遊技球を配給することができる。【選択図】図１
2017018547.tif 000002
【特許請求の範囲】
【請求項１】
遊技盤面上の一端側から他端側へ遊技球を打ち出す遊技機において、
遊技球を打ち出す球発射装置は、前記遊技盤面の上方に配設し、
前記遊技盤面上に区画される遊技領域の外延を成す外レールの延長には、前記球発射装置から前記外レールに沿って発射された遊技球の軌道を偏向する球軌道偏向体を備え、
該球軌道偏向体は、湾曲形状の偏向部とともに遊技球を案内する略円形状の案内部を設けたことを特徴とする遊技機。
【請求項２】
前記偏向部の湾曲形状の略中心と前記案内部の軸心を一致させて、前記案内部と前記偏向部との間の隙間に遊技球が通過する通路を形成したことを特徴とする請求項１に記載の遊技機。
【請求項３】
前記偏向部の略中心と前記案内部の軸心を異ならせたことを特徴とする請求項１に記載の遊技機。
【請求項４】
前記案内部を遊技盤面上を移動可能に設けたことを特徴とする請求項１，２または３に記載の遊技機。
【請求項５】
前記案内部を出没可能に配設したことを特徴とする請求項１，２，３または４に記載の遊技機。
【請求項６】
前記案内部を回転可能に設けたことを特徴とする請求項１，２，３，４または５に記載の遊技機。
【請求項７】
前記案内部の回転を遊技者の操作により制御可能に設けたことを特徴とする請求項６に記載の遊技機。
【請求項８】
前記遊技盤面に配設された天釘群を段違いに配設したことを特徴とする請求項１，２，３，４，５，６または７に記載の遊技機。
【発明の詳細な説明】
【技術分野】
【０００１】  本発明は、遊技盤面上の一端側から他端側に遊技球を打ち出す遊技機に関する。
【背景技術】
【０００２】  従来、遊技機において、遊技者のハンドル操作によって所望の速度で遊技領域内に遊技球を打ち出す球発射装置は、通常、遊技盤面の下方に設けられており、打ち出された遊技球は、球発射装置から連続して形成された発射レール及び遊技盤面の外縁に設けられた内外のレールを備えたガイドレールによって遊技領域内に導入されている。【０００３】  これらの遊技機における遊技盤面、球発射装置等のレイアウトは、遊技球を連続して円滑に遊技領域に導入させるために、形状、配置等が大きく制約されており、長きに亘って変化がなく代わり映えしないことが通常であった。それに対し、これらの制約を取り払ってより広い遊技領域を確保したレイアウトが可能な遊技機として、球発射装置を遊技盤面の上方に設けた遊技機が既に提案されている（特許文献１参照。）。すなわち、球発射装置を遊技盤面の上方の一端に設け、ハンドル操作によって所望の速度で遊技領域に遊技球を投入するものである。【０００４】  しかしながら、大量の遊技球を連続して可能な限り一定の速度で発射させる球発射装置は、発射機構の細かな制御が必要で、複雑でサイズも大きなものになり、結果としてコストアップを招いていた。また、遊技球の発射速度や角度の制御が困難であることと併せて、従前の遊技盤面の下方に球発射装置を設けた遊技機の場合と同じく、依然として球発射装置とは反対の遊技領域（通常であれば右側の領域）に遊技球が偏って、遊技領域全体をバランスよく使った遊技が行えないという問題点があった（図１５参照。）。
【先行技術文献】
【特許文献】
【０００５】
【特許文献１】特開２００８−２００２６８号公報
【特許文献２】特開平１１−１９７３０８号公報
【発明の概要】
【発明が解決しようとする課題】
【０００６】  かかる問題のうち、外レールの頂部近辺に打球の軌道偏向部材を配設することにより遊技球の偏りを是正する方法がすでに開示されている（特許文献２および図１４参照。）。
しかしながら特許文献２に記載された発明は、単に発射された遊技球を球軌道方向変更部材に衝突するのみによって軌道を変更するという極めて単純な機構のため、軌道変更された後の遊技球の打球方向のコントロールが全くできないことから、結果として遊技球を遊技者の所望の場所に投入することは極めて困難で、技術介入の余地が少ないことから遊技の興趣にも欠けるという欠点があった。また、打球の勢いを受け止めて、その衝撃による球軌道方向変更部材の破損等のトラブルが多くなるという欠点もあった。【０００７】  本発明は、上記の事情に鑑み、球発射装置を遊技盤面の上方に配置するとともに外レールの延長に球軌道偏向体を設けて、遊技球の方向を略１８０度偏向して遊技領域の所定の場所に誘出することにより、より簡易な球発射装置を使用して遊技領域内の各所に遊技球の投入することのできる遊技機を提供することを目的としている。
【課題を解決するための手段】
【０００８】  前述した目的を達成するための本発明の要旨とするところは、以下の各項の発明に存する。
［１］遊技盤面（１１）上の一端側から他端側へ遊技球を打ち出す遊技機（１０）において、
遊技球を打ち出す球発射装置（２５）は、前記遊技盤面（１１）の上方に配設し、
前記遊技盤面（１１）上に区画される遊技領域（１２）の外延を成す外レール（２１）の延長には、前記球発射装置（２５）から前記外レール（１１）に沿って発射された遊技球の軌道を偏向する球軌道偏向体（２０）を備え、
該球軌道偏向体（２０）は、湾曲形状の偏向部（２０ａ）とともに遊技球を案内する略円形状の案内部（２０ｃ）を設けたことを特徴とする遊技機（１０）。【０００９】  ［２］前記偏向部（２０ａ）の湾曲形状の略中心と前記案内部（２０ｃ）の軸心を一致させて、前記案内部（２０ｃ）と前記偏向部（２０ａ）との間の隙間に遊技球が通過する通路を形成したことを特徴とする［１］に記載の遊技機（１０）。【００１０】  ［３］前記偏向部（２０ａ）の略中心と前記案内部（２０ｃ）の軸心を異ならせたことを特徴とする［１］に記載の遊技機（１０）。【００１１】  ［４］前記案内部（２０ｃ）を遊技盤面（１１）上を移動可能に設けたことを特徴とする［１］，［２］または［３］に記載の遊技機（１０Ａ）。【００１２】  ［５］前記案内部（２０ｃ）を出没可能に配設したことを特徴とする［１］，［２］，［３］または［４］に記載の遊技機（１０Ａ）。【００１３】  ［６］前記案内部（２０ｃ）を回転可能に設けたことを特徴とする［１］，［２］，［３］，［４］または［５］に記載の遊技機（１０Ｂ）。【００１４】  ［７］前記案内部（２０ｃ）の回転を遊技者の操作により制御可能に設けたことを特徴とする［６］に記載の遊技機（１０Ｂ）。【００１５】  ［８］前記遊技盤面（１１）に配設された天釘群（１７）を段違いに配設したことを特徴とする［１］，［２］，［３］，［４］，［５］，［６］または［７］に記載の遊技機（１０Ｃ）。【００１６】  前記本発明は、次のように作用する。
前記［１］，［２］，［３］に記載の遊技機（１０）によれば、一端側から他端側へ遊技球を打ち出す球発射装置（２５）は、遊技盤面（１１）の上方に配設されている。球発射装置（２５）の発射口から遊技球は遊技盤面（１１）の外延をなす外レール（２１）に沿って駆け上がり球軌道偏向体（２０）に達して方向が略１８０度偏向される。比較的近い距離で方向を変えて遊技領域の略中央に誘出されるので、球発射装置の発射速度が比較的遅いもので足り、小さく簡易なものにすることができる。通常遊技球が他端側の領域に偏りがちなところ、偏ることなく遊技領域に遊技球を射出することができる。【００１７】  球軌道偏向体（２０）は、湾曲形状の偏向部（２０ａ）および案内部（２０ｃ）を備えている。外レール（２１）に沿って射出された遊技球は偏向部（２０ａ）および案内部（２０ｃ）で摩擦力によって減速しつつ方向を変えて遊技領域（１２）に誘出される。滑らかに減速し、また軌道の偏向が行われるので、天釘（１７）等の釘類および各種役物への衝突の勢いを減らして遊技球を流下させることができ、破損等による消耗を減じることが可能となり、また長く使用することが可能となる。【００１８】  発射速度（発射力）の強弱に対応した滑らかな軌道の偏向と減速が行われることから、放出された遊技球が描くふわっと上昇する放物線状の軌跡が鮮明となり、衝突というランダムな現象により遊技球が散らされて流下するのと異なり、打球を狙った所望の箇所へと放出することができる。【００１９】  また、球軌道偏向体（２０）の配置される位置により、遊技球の射出される特徴が異なり、バリエーション豊な構成とすることができる。例えば、発射口近くに球軌道偏向体（２０）を配設する場合、距離が短いので発射力が小さいもので足り、発射装置を小型にすることができる。より遠くに球軌道偏向体（２０）を配設した場合にあっては、発射方向をより横ないし斜め上に向けることができるのでより放物線状の軌跡が鮮明になるので、所望の箇所に到達するまでの打球の行方を視認することが可能となり、より正確に遊技球を遊技領域（１２）に投入することにもなり、遊技の興趣を高めることができる。【００２０】  さらに、湾曲状の偏向部（２０ａ）の中心と案内部（２０ｃ）の軸芯を異ならせた場合にあっては、射出された遊技球が衝突できる位置に案内部（２０ｃ）を配設することにより、球発射装置（２５）の射出速度を調節して、遊技球の案内部に当る位置を異ならせて、遊技領域（１２）の様々な箇所に遊技球を投入することが可能となる。これにより、遊技領域（１２）のより広い範囲に各種役物を配置させた遊技機が可能となる。【００２１】  前記［４］，［５］に記載の遊技機（１０）によれば、案内部（２０ｃ）を遊技盤面（１１）上を移動可能に配設した。操作手段により案内部（２０ｃ）を所望の位置に移動させて、遊技球を狙った位置に投入して、賞球の機会を増やすことができる。また、案内部（２０ｃ）を出没可能に配設した場合にあっても、操作手段により遊技盤面（１１）上に案内部（２０ｃ）を出現状態、没入状態に変更可能である。案内部（２０ｃ）の出現状態においては、上述した案内部（２０ｃ）のごとく摩擦、衝突等により適切に遊技��を減速する一方、没入状態においては、案内部（２０ｃ）における摩擦等の効果は現ずるので、変更部（２０ａ）のみによって、遊技球は放出される。遊技球の放出速度は増すので遊技に意外性とバリエーションを与えることができる。【００２２】  前記［６］，［７］に記載の遊技機（１０）によれば、案内部（２０ｃ）は回転可能にまたは動力により回転させることができる。これにより、変更部（２０ａ）と合わせて案内部（２０ｃ）の減速、偏向をより滑らかに行うことができる。また、遊技者の操作により回転を操作できる場合にあっては、遊技球の放出する距離を制御することもできる。遊技者は、球発射装置（２５）とともに球軌道偏向体（２０）においても、操作して遊技球を所望の方向に投入することができる。【００２３】  前記［８］に記載の遊技機（１０）によれば、天釘群（１７）を段違いに配設した。これにより、天釘群（１７）ごとに狙いを定めて遊技球を投入することにより、遊技者は所望の位置に流下させる選択をすることができる。
【発明の効果】
【００２４】  本発明に係る遊技機によれば、遊技盤面の上方に球発射装置を設け、発射された遊技球は遊技領域の外延をなす外レールに沿って誘導されて、該外レールに連続して設けられた球軌道偏向体により方向が略１８０度転換されて遊技領域に放出されて各種役物装置に供給される。遊技領域を広く活用することができる。
【図面の簡単な説明】
【００２５】
【図１】  本発明の第１実施の形態に係る遊技機を示す正面図である。
【図２】  本発明の第１実施の形態に係る遊技機の別の例を示す正面図である。
【図３】  本発明の第１実施の形態に係る遊技機の別の例を示す正面図である。
【図４】  本発明の第１実施の形態に係る遊技機の別の例を示す正面図である。
【図５】  本発明の第１実施の形態に係る遊技機の別の例を示す正面図である。
【図６】  本発明の第１実施の形態に係る遊技機の別の例を示す正面図である。
【図７】  本発明の第１実施の形態に係る遊技機の別の例を示す正面図である。
【図８】  本発明の第１実施の形態に係る遊技機の別の例を示す正面図である。
【図９】  本発明の第１実施の形態に係る遊技機の別の例を示す正面図である。
【図１０】  本発明の第１実施の形態に係る遊技機における案内部の例を示す正面図である。
【図１１】  本発明の第２実施の形態に係る遊技機を示す正面図である。
【図１２】  本発明の第３実施の形態に係る遊技機を示す正面図である。
【図１３】  本発明の第３実施の形態に係る遊技機の別の例を示す正面図である。
【図１４】  従来の遊技機の例を示す正面図である。
【図１５】  従来の遊技機の例を示す正面図である。
【発明を実施するための形態】
【００２６】  以下、図面に基づき、本発明を代表する各種実施の形態を説明する。
図１〜図４は、本発明の第１実施の形態に係る遊技機１０を示している。
遊技機１０は、遊技領域１２上に遊技球を打ち出して遊技を行うパチンコ機である。遊技機１０は、打ち出された遊技球が落下して遊技を進行させる役物装置等が取り付けられた遊技盤面１１と、該遊技盤面１１の正面を覆うガラスを固定するガラス枠等を有している。
【００２７】  ガラス枠には、装飾装置であるランプ・ＬＥＤ等が組み付けられている。また、ガラス枠の下方には、遊技球である貸球や賞球を貯留する上皿１４、上皿１４から溢れた遊技球を貯留する下皿１５、遊技者が遊技球の打ち出し操作を行うハンドル１６等が設けられている。なお、図示省略したが遊技機１０には、有価価値カードの挿入により遊技球を貸し出すためのカードユニット（ＣＲ球貸機）が付設されている。
【００２８】  図１に示すように、外レール２１は、遊技盤面１１の外延を円環状に囲み、内部を遊技領域１２として区画する。また、前記ハンドル１６の回転操作により球発射装置２５より打ち出された遊技球を偏向部２０ａを備えた球軌道偏向体２０に導く。偏向部２０ａは、遊技領域１２の内側に弧状に湾曲し、外レール２１から連続する球返しレール２０ｂを形成してなる。
【００２９】  また、遊技領域１１の略中央には、風車状回転体３１を備えたメイン役物装置３０と、その左右にそれぞれ４箇所に一般入賞装置４１が縦方向にジグザグに配設されている。メイン役物装置３０の下方には大入賞口４０と、さらに遊技盤面１１の最下にはいずれの入賞装置にも入らずに落下した遊技球を排出するためのアウト球口１３を設けている。
【００３０】  遊技機１０には、遊技全体の制御を行う制御手段が設けられている。かかる制御手段は、図示省略したがインターフェース、ＣＰＵ、ＲＡＭ、ＲＯＭ等から構成されたマイクロコンピューターから成る。制御手段は、ハンドルからの入力を球発射装置２５に発射信号として信号線２５ａを介して伝えるほか、メイン役物装置２０、始動入賞装置３５等の入賞装置や表示遊技、特別遊技状態を制御する等の様々な機能を有している。ここで、制御手段は各種入賞口に遊技球が入賞した際に賞出信号を機内部にある計数機に出力して、各種入賞口ごとに予め割り当てられている所定数の遊技球を計数機から上皿１４に払い出させるように構成してもよい。
【００３１】  次に、本発明の根幹をなす球軌道偏向体２０について詳述する。前述したように、外レール２１は遊技盤面１１の周囲を取り囲むように設けられている。ハンドル１６の操作により遊技盤面の上方に設けられた球発射装置２５から所定の速度以上で遊技球が発射されると遠心力によって外レール２１に沿って駆け上がることとなる。
【００３２】  球軌道偏向体２０は、遊技領域１２の外延をなす外レール２１に連続して形成される。また、偏向部２０ａならびに案内部２０ｃを備えており、偏向部２０ａは遊技領域１２の内側方向に湾曲している。外レール２１を駆け上がってきた遊技球は偏向部２０ａによって進行方向を１８０度転換されて、遊技領域１２内の所定の方向へと誘出される。
【００３３】  特に、本発明における遊技機を特徴付ける部位である偏向部２０ａは最上部から他端側に連続し外周方向に突出した鋭角部の近傍に設けられている。外レール２１から連続した円弧状のレールが球返しレール２０ｂに連続した様子が図１に示されている。これらの遊技領域１２の形状が従前の円形のものと対照をなすものである。
【００３４】  下方に球発射装置が配設したものである場合は、下方から強力な発射力をもってガイドレールにガイドされており、円形がもっとも効率的であるからである。しかしながら、速すぎる速度で打ち出された遊技球のために、球跳ね返し部材を外レールの延長の他端側（通常では右側）に設けることを必須なものとしている。
【００３５】  偏向部２０ａの円弧の内側には外レール２０ａから連続して球返しレール２０ｂが形成される。球返しレール２０ｂは、外レール２０ａなどと同様に合成樹脂に摩擦係数の低いフッソ加工などを施したものでもよいが、逆に、案内部と合わせて摩擦係数の高いものを使用してもよい。連続して付加がかかる部位でもあり、金属などの耐久性の高いものを使用するとよい。
【００３６】  さらに、図１，図２にも示されるように、偏向部２０ａにおいて重要なのが射出方向であり、その速度により、様々な放物線を描いて遊技領域を流下するのだから、特にその流下の態様により、入賞し易くするためにはその下方に役物装置を配設することができる。
【００３７】  加えて、本発明による遊技機の外レール２１およびその偏向部２０ａの構成によって、通常の天釘等によって周囲に遊技球を散らすタイプの遊技機と比較して、ゆっくりとした速度で射出して、狙いを定めて入賞装置に遊技球をふわっと浮上するように放出、着地させられるので、遊技領域１２内への遊技球の衝突は極めて弱いものとなり、役物装置等の破損、損耗を減少させることができる。
【００３８】  本発明における遊技機は、詳述してきた偏向部２０ａとともに遊技球を案内する略円形状の案内部２０ｃを備えている。案内部２０ｃは、正面視で略円形形状に形成してなり、偏向部と合わせて、特に、偏向部２０ａの中心と案内部２０ｃの軸心を一致させた場合には、それらの間の空間が遊技球の通過する経路となる。
【００３９】  図１０にも示したように、案内部２０ｃは、表面の材質等のバリエーションに加えて形状においても様々なものが使用可能である。図１０（ａ）のように外周の一部に凹部を形成したもの、図１０（ｂ）のように凸部をけいせいしたもの、図１０（ｃ）のように径の一部を材質の相違して形成したもの、図１０（ｄ）のように軸から刷毛を植設して形成したものであってもよい。表面の材質に関しては、ゴムおよびスポンジ等の弾性体としてもよい。
【００４０】  次に、遊技機１０の作用を説明する。
前述したように遊技球を打ち出す球発射装置２５は、遊技盤面１１の上方に配設されている。球発射装置２５の発射口から遊技球は遊技盤面１１の外延をなす外レール２１に沿って駆け上がり球軌道偏向体２０に達して方向が略１８０度偏向される。比較的近い距離で方向を変えて遊技領域の略中央に誘出されるので球発射装置の発射速度が比較的遅いもので足り、小さく簡易なものにすることができる。通常遊技球が他端側の領域に偏りがちなところ偏ることなく遊技領域に遊技球を射出することができる。
【００４１】  球軌道偏向体２０は、湾曲形状の偏向部２０ａおよび案内部２０ｃを備えている。外レール２１に沿って射出された遊技球は偏向部２０ａおよび案内部２０ｃで摩擦力によって減速しつつ方向を変えて遊技領域１２に誘出される。滑らかに減速し、また軌道の偏向が行われるので、天釘１７等の釘類および各種役物への衝突の勢いを減らして遊技球を流下させることができ、破損等による消耗を減じることが可能となり、また長く使用することが可能となる。
【００４２】  発射速度（発射力）の強弱に対応した滑らかな軌道の偏向と減速が行われることから、放出された遊技球が描くふわっと上昇する放物線状の軌跡が鮮明となり、衝突というランダムな現象により遊技球が散らされて流下するのと異なり、打球を狙った所望の箇所へと放出することができる。
【００４３】  また、球軌道偏向体２０の配置される位置により、遊技球の射出される特徴が異なり、バリエーション豊な構成とすることができる。例えば、発射口近くに球軌道偏向体２０を配設する場合、距離が短いので発射力が小さいもので足り、発射装置を小型にすることができる。
【００４４】  より遠くに球軌道偏向体２０を配設した場合にあっては、発射方向をより横ないし斜め上に向けることができるのでより放物線状の軌跡が鮮明になるので、所望の箇所に到達するまでの打球の行方を視認することが可能となり、より正確に遊技球を遊技領域１２に投入することにもなり、遊技の興趣を高めることができる。
【００４５】  さらに、湾曲状の偏向部２０ａの中心と案内部２０ｃの軸芯を異ならせた場合にあっては、射出された遊技球が衝突できる位置に案内部２０ｃを配設することにより、球発射装置２５の射出速度を調節して、遊技球の案内部に当る位置を異ならせて、遊技領域１２の様々な箇所に遊技球を投入することが可能となる。これにより、遊技領域１２のより広い範囲に各種役物を配置させた遊技機が可能となる。
【００４６】  図５〜図８及び図９は、本発明の第２実施の形態に係る遊技機１０Ａを示している。なお、前述した第１実施の形態に係る遊技機１０と共通する構成については記載を省略する。
遊技機１０Ａによれば、案内部２０ｃを遊技盤面１１上を移動可能に配設した。操作手段１６ａにより案内部２０ｃを所望の位置に移動させて、遊技球を狙った位置に投入して、賞球の機会を増やすことができる。移動機構に関しては、従来の一般的な構成とするが、案内部２０ｃの軸２０ｄを引きリンク機構、滑りクランク機構又はカム等にて移動する機構によって行われる。該軸２０ｄにピニオン歯車を取り付け、該歯車をラックによっていどうさせるラックピニオン歯車によって実現しても良い。
【００４７】  また、図９に示すように、案内部２０ｃを出没可能に配設した場合にあっても、操作手段１６ｂにより遊技盤面１１上に案内部２０ｃを出現状態、没入状態に変更可能である。案内部２０ｃの出現状態においては、第１の実施の形態において説明した遊技機における案内部２０ｃのごとく摩擦、衝突等により適切に遊技球を減速する一方、没入状態においては、案内部２０ｃにおける摩擦等の効果は現ずるので、変更部２０ａのみによって、遊技球は放出される。遊技球の放出速度は増すので遊技に意外性とバリエーションを与えることができる。
【００４８】  図１１は、本発明の第２実施の形態に係る遊技機１０Ｂを示している。なお、前述した第１実施の形態に係る遊技機１０と共通する構成については記載を省略する。
本実施の形態に係る遊技機１０Ｂによれば、案内部２０ｃは回転可能にまたは動力により回転させることができる。これにより、変更部２０ａと合わせて案内部２０ｃの減速、偏向をより滑らかに行うことができる。また、遊技者の操作により回転を操作できる場合にあっては、遊技球の放出する距離を制御することもできる。遊技者は、球発射装置（２５）とともに球軌道偏向体２０においても、操作して遊技球を所望の方向に投入することができる。
【００４９】  図１２，図１３は、本発明の第２実施の形態に係る遊技機１０Ｃを示している。なお、前述した第１実施の形態に係る遊技機１０と共通する構成については記載を省略する。
本実施の形態に係る遊技機１０Ｂによれば、天釘群１７を段違いに配設した。これにより、天釘群１７ごとに狙いを定めて遊技球を投入することにより、遊技者は所望の位置に流下させる選択をすることができる。
【００５０】  以上、本発明の実施の形態を図面によって説明してきたが、具体的な構成はこれらの実施の形態に限られるものではなく、本発明の要旨を逸脱しない範囲における変更や追加があっても本発明に含まれる。
【産業上の利用可能性】
【００５１】  本発明に係る遊技機はパチンコ機に限らず、プログラム制御されるスマートボールゲーム機、アレンジボールゲーム機といった他の遊技機にも同様に適用することができる。
【符号の説明】
【００５２】１０…遊技機
１０Ａ…遊技機
１０Ｂ…遊技機
１０Ｃ…遊技機
１１…遊技盤面
１２…遊技領域
１３…アウト球口
１４…上皿
１５…下皿
１６…ハンドル
１６ａ…操作手段
１６ｂ…操作手段
１６ｃ…操作手段（ハンドル）
１７…天釘群
２０ａ…偏向部
２０ｂ…球返しレール
２０ｃ…案内部
２０ｄ…軸
２１…外レール
２５…球発射装置
２６…発射球貯留部
３０…メイン役物装置
３１…風車状回転体
３２…特定入賞口
３３…可変表示部
４０…大入賞口
４１…一般入賞装置
【図１】
2017018547.tif 000003
【図２】
2017018547.tif 000004
【図３】
2017018547.tif 000005
【図４】
2017018547.tif 000006
【図５】
2017018547.tif 000007
【図６】
2017018547.tif 000008
【図７】
2017018547.tif 000009
【図８】
2017018547.tif 000010
【図９】
2017018547.tif 000011
【図１０】
2017018547.tif 000012
【図１１】
2017018547.tif 000013
【図１２】
2017018547.tif 000014
【図１３】
2017018547.tif 000015
【図１４】
2017018547.tif 000016
【図１５】
2017018547.tif 000017